(57)【要約】【課題】  樹脂キートップにおいて、見る方向に関係なく一様な光沢や光沢のある色を発現させることができるようにする。【解決手段】  キートップ本体２の凹所２１に光反射面３１を形成するシート３を敷いてその上に透光性樹脂を装填して硬化させることにより透光層４を形成する。透光層４の表面を、透光性樹脂の表面張力によって概ね一点に焦点を形成する膨らみ形状に形作る。シート３の光反射面３１は、放物面に成形された凹所２１の底面２２にシート３を重ね合わせることにより、透光層４の表面４１に略平行な膨らみ形状に形成する。透光層４の表面４１及びシート３の光反射面３１が同一位置に焦点Ｆ１，Ｆ２を有する。凹所２１の周壁面２３を外拡がりテーパ面とする。【選択図】        図２
2006210023.tif 000002
【特許請求の範囲】
【請求項１】
樹脂製のキートップ本体に具備された凹所に光反射面を形成するシートを敷いてその上に透光性樹脂を装填して硬化させることにより透光層が形成され、その透光層の表面が、上記透光性樹脂の表面張力によって概ね一点に焦点を形成する膨らみ形状に形作られている樹脂キートップにおいて、
上記シートの光反射面が、膨らみ形状の放物面に成形された上記凹所の底面に上記シートを重ね合わせることによって上記透光層の表面に略平行な膨らみ形状に形成されていると共に、上記透光層の表面及び上記シートの光反射面のそれぞれの膨らみ形状が同一位置に焦点を有する互いに略平行な放物面によって形作られ、上記凹所の周壁面が、上記凹所の底面を形作っている放物面の焦点の位置を頂点とする仮想円錐面に一致する外拡がりテーパ面に形成されていて、上記キートップ本体に、デシタルカメラのモード切換えスイッチを押圧操作させるためのスイッチ押圧部が一体に形成されていることを特徴とする樹脂キートップ。
【請求項２】
樹脂製のキートップ本体に具備された凹所に光反射面を形成するシートを敷いてその上に透光性樹脂を装填して硬化させることにより透光層が形成され、その透光層の表面が、上記透光性樹脂の表面張力によって概ね一点に焦点を形成する膨らみ形状に形作られている樹脂キートップにおいて、
上記シートの光反射面が、平坦に成形された上記凹所の底面に重ね合わされて中央部から周辺部に向かってその厚さが漸減している上記シートの表面によって膨らみ形状の放物面に形成されていると共に、上記透光層の表面及び上記シートの光反射面のそれぞれの膨らみ形状が同一位置に焦点を有する互いに略平行な放物面によって形作られ、上記凹所の周壁面が、シートの表面によって形作られている放物面の焦点の位置を頂点として上記凹所の底面の外周に接する仮想円錐面に一致する外拡がりテーパ面に形成されていて、上記キートップ本体に、デシタルカメラのモード切換えスイッチを押圧操作させるためのスイッチ押圧部が一体に形成されていることを特徴とする樹脂キートップ。
【請求項３】
樹脂製のキートップ本体に具備された凹所に光反射面を形成するシートを敷いてその上に透光性樹脂を装填して硬化させることにより透光層が形成され、その透光層の表面が、上記透光性樹脂の表面張力によって概ね一点に焦点を形成する膨らみ形状に形作られている樹脂キートップにおいて、
上記シートの光反射面が、上記透光層の表面と略平行な膨らみ形状に形成されていると共に、上記凹所の周壁面が外拡がりテーパ面に形成されていることを特徴とする樹脂キートップ。
【請求項４】
上記透光層の表面と上記シートの光反射面とが同一位置に焦点を有する互いに略平行な放物面である請求項３に記載した樹脂キートップ。
【請求項５】
上記シートの光反射面が、膨らみ形状の放物面に成形された上記凹所の底面に上記シートを重ね合わせることによって放物面に形作られている請求項３又は請求項４に記載した樹脂キートップ。
【請求項６】
上記周壁面が、上記凹所の底面によって形作られた放物面の焦点の位置を頂点とする仮想円錐面に一致する外拡がりテーパ面によって形成されている請求項３ないし請求項５のいずれか１項に記載した樹脂キートップ。
【請求項７】
上記シートの光反射面が、平坦に成形された上記凹所の底面に重ね合わされて中央部から周辺部に向かってその厚さが漸減している上記シートの表面によって放物面に形作られている請求項３ないし請求項５のいずれか１項に記載した樹脂キートップ。
【発明の詳細な説明】
【技術分野】
【０００１】
本発明は、樹脂キートップ、特に、キートップ本体の凹所に接着剤などの樹脂を装填することによって透光層を形成し、しかも、その透光層に光沢性を発揮させるための対策を講じた樹脂キートップに関する。
【背景技術】
【０００２】
従来のこの種の樹脂キートップを図５に断面図で例示してある。このキートップ１では、樹脂成形体でなる凸形状のキートップ本体２の頂部に、底面２２が平坦で周壁面２３がストレート円筒形に成形された円形の凹所２１が形成されていて、その凹所２１に表面光沢を持つ円形の薄いシート３を敷いて底面２２に動かないように重ね合わせ、そのシート３の上に紫外線硬化型接着剤（ＵＶ硬化型接着剤）としての透光性樹脂を流し込んで装填して硬化させることにより透光層４を形成してある。この手順によって製作されるキートップ１の透光層４の表面４１は、キートップ本体２の凹所２１に装填した未硬化の透光性樹脂が硬化するときにその透光性樹脂の表面張力によって膨らみ形状の放物面となり、しかも、その放物面は一点又は概ね一点に焦点を形成する膨らみ面となることが判っている。
【０００３】
このような樹脂キートップでは、外光が透光層４を通過してシート３の光沢を持つ表面で反射し、再び透光層４を通過してその外側に出てくることから、透光層４が光沢を放っているように見え、そのことが高級感や豪華な感じを醸し出す。そして、このような樹脂キートップは、デジタルカメラの各種モードの選択ボタンなどに賞用される。
【０００４】
一方、従来より、メンブレンスイッチ用パネルにつき、カバーシートに形成した膨らみ形状の押しボタン部の裏側凹所に紫外線硬化型の樹脂液を滴下して硬化させることによりエラストマー樹脂層を形成したもの（特許文献１参照）、パネルスイッチ板につき、基材シートに形成した膨らみ状のキートップ部の裏側に樹脂を滴下して硬化させたもの（特許文献２参照）、キーボードなどに用いられる入力シート部材につき、半透明基材フィルムの表面に凸状面を有する透明紫外線硬化樹脂の層を設けたもの（特許文献３参照）、樹脂キートップにつき、押釦スイッチ用キーパッドのコーティング層付き天面に液状樹脂を塗布して固化させたもの（特許文献４参照）、などが知られている。
【特許文献１】特開平８−４５３８０号公報
【特許文献２】特許第３２０７８９４号公報
【特許文献３】特開昭６２−２４９３１５号公報
【特許文献４】特開２０００−３６３１号公報
【発明の開示】
【発明が解決しようとする課題】
【０００５】
図５を参照して説明した従来例の樹脂キートップでは、透光層４を見る方向によって光沢にむらの出るということや、シート３に色付きシートを採用した場合には、透光層４を見る方向によって色むらが出るということが知見された。また、シート３が柔軟な極薄フィルムを円形に打ち抜くことによって形成されているのに対し、キートップ本体２の凹所２１はその周壁面２３がストレート円筒形に成形されていることにより、樹脂キートップの製作に際しては、シート３を凹所２１に嵌め込んで底面２２に皺などを発生させずに綺麗に敷き込む作業に熟練を必要とし、しかも手間のかかる作業を余儀なくされるので、そのことが生産性を高めることの制約になっていた。
【０００６】
一方、上掲の各特許文献には、紫外線硬化型樹脂を硬化させて凸形状にすることなどが記載されているものの、シート３を利用して光沢をむらなく発揮させること、色付きシートを利用した場合の色むらの発生を抑制すること、シート３をキートップ本体２の凹所に嵌め込みやすくすること、などの対策については何も開示されていない。
【０００７】
本発明は以上の状況の下でなされたものであり、キートップ本体の凹所に光反射面を形成するシートを敷いてその上に透光性樹脂を装填して硬化させることにより透光層を形成するという手順を経て製作される樹脂キートップにおいて、シートの光反射面によって反射した光が透光層からどの方向にも万遍なく放射されるような対策を講じることによって、見る方向による光沢むらや、シートが色付きシートである場合の色むらなどを生じにくくすることのできる樹脂キートップを提供することを目的とする。
【０００８】
また、本発明は、上記したような光沢むらや色むらの発生を抑制する対策を講じるだけで、シートをキートップの凹所に嵌め込みやすくなるという作用や、キートップ本体の成形が容易になるという作用などが付随的に発揮される樹脂キートップを提供することを目的とする。
【課題を解決するための手段】
【０００９】
本発明に係る樹脂キートップは、樹脂製のキートップ本体に具備された凹所に光反射面を形成するシートを敷いてその上に透光性樹脂を装填して硬化させることにより透光層が形成され、その透光層の表面が、上記透光性樹脂の表面張力によって概ね一点に焦点を形成する膨らみ形状に形作られている樹脂キートップにおいて、上記シートの光反射面が、上記透光層の表面と略平行な膨らみ形状に形成されていると共に、上記凹所の周壁面が外拡がりテーパ面に形成されている。
【００１０】
この構成であれば、シートの光反射面が透光層の表面と略平行な膨らみ形状になっているので、光反射面や透光層の表面に対する直角方向での透光層の厚さがどの部分においても一様になる。そして、透光層によって埋まっている凹所の周壁面が外拡がりに形成されていることにより、光反射面で反射した光が膨らみ形状の透光層の表面から周囲に万弁なく放射されるようになって、見る方向による光沢むらや色むらが発現しにくくなる。また、光沢むらや色むらを発現しにくくすることに役立つ凹所の周壁面の外拡がり形状が、シートを凹所に嵌め込みやすくすることに役立つので、当該樹脂キートップの生産性を向上させやすくなる。
【００１１】
本発明では、上記透光層の表面と上記シートの光反射面とが同一位置に焦点を有する互いに略平行な放物面であることが望ましい。この構成であれば、シートの光反射面で反射した光が、焦点を基点とする放射方向に放射されて透光層を通過する。そのため、光沢むらや色むらがいっそう発現しにくくなって当該樹脂キートップの高級感や豪華感が向上する。
【００１２】
本発明では、上記シートの光反射面が、膨らみ形状の放物面に成形された上記凹所の底面に上記シートを重ね合わせることによって放物面に形作られているものであっても、平坦に成形された上記凹所の底面に重ね合わされて中央部から周辺部に向かってその厚さが漸減している上記シートの表面によって放物面に形作られているものであってもよい。
【００１３】
また、上記周壁面が、上記凹所の底面によって形作られた放物面の焦点の位置を頂点とする仮想円錐面に一致する外拡がりテーパ面によって形成されていることが特に望ましく、凹所の周壁面がそのような外拡がりテーパ面によって形成されていると、シートの光反射面で反射した光が、透光層の表面全体から放射方向に特に万遍なく放射されて上記した高級感や豪華感がいっそう向上することになる。
【００１４】
本発明に係る樹脂キートップは、樹脂製のキートップ本体に具備された凹所に光反射面を形成するシートを敷いてその上に透光性樹脂を装填して硬化させることにより透光層が形成され、その透光層の表面が、上記透光性樹脂の表面張力によって概ね一点に焦点を形成する膨らみ形状に形作られている樹脂キートップにおいて、上記シートの光反射面が、膨らみ形状の放物面に成形された上記凹所の底面に上記シートを重ね合わせることによって上記透光層の表面に略平行な膨らみ形状に形成されていると共に、上記透光層の表面及び上記シートの光反射面のそれぞれの膨らみ形状が同一位置に焦点を有する互いに略平行な放物面によって形作られ、上記凹所の周壁面が、上記凹所の底面を形作っている放物面の焦点の位置を頂点とする仮想円錐面に一致する外拡がりテーパ面に形成されていて、上記キートップ本体に、デシタルカメラのモード切換えスイッチを押圧操作させるためのスイッチ押圧部が一体に形成されている、という構成を採用することによっていっそう具体化される。
【００１５】
また、本発明に係る樹脂キートップは、樹脂製のキートップ本体に具備された凹所に光反射面を形成するシートを敷いてその上に透光性樹脂を装填して硬化させることにより透光層が形成され、その透光層の表面が、上記透光性樹脂の表面張力によって概ね一点に焦点を形成する膨らみ形状に形作られている樹脂キートップにおいて、上記シートの光反射面が、平坦に成形された上記凹所の底面に重ね合わされて中央部から周辺部に向かってその厚さが漸減している上記シートの表面によって膨らみ形状の放物面に形成されていると共に、上記透光層の表面及び上記シートの光反射面のそれぞれの膨らみ形状が同一位置に焦点を有する互いに略平行な放物面によって形作られ、上記凹所の周壁面が、シートの表面によって形作られている放物面の焦点の位置を頂点として上記凹所の底面の外周に接する仮想円錐面に一致する外拡がりテーパ面に形成されていて、上記キートップ本体に、デシタルカメラのモード切換えスイッチを押圧操作させるためのスイッチ押圧部が一体に形成されている、という構成を採用することによってもいっそう具体化される。
【発明の効果】
【００１６】
以上のように、本発明は、樹脂キートップにおいて、見る方向に関係なく一様な光沢や光沢のある色を発現させるものであるので、デジタルカメラのモード切換えスイッチを押圧操作することなどに用いた場合に、その外観の見栄えが向上して高級感や豪華感を向上するという効果が奏される。また、光沢むらや色むらの発生を抑制する対策を講じただけでありながら、当該樹脂キートップを製作する場合に、シートをキートップの凹所に嵌め込みやすくなるという作用やキートップ本体の成形が容易になるという作用などが付随的に発揮されるため、生産性を向上させて量産性を高めることに役立つものでもある。
【発明を実施するための最良の形態】
【００１７】
図１は本発明に係る樹脂キートップ１をモード切換えスイッチの押釦として採用したデジタルカメラを例示した部分斜視図、図２は実施形態に係る樹脂キートップ１の断面図、図３は他の実施形態に係る樹脂キートップ１の断面図である。
【００１８】
図１において、１００はデジタルカメラの外ケースであり、レリーズ釦１０１やデイスプレイ１０２などを備えていると共に、モード切換えスイッチの押釦としての複数の樹脂キートップ１が所要箇所に配備されている。
【００１９】
図２に示したように、キートップ１では、樹脂成形体でなる凸形状のキートップ本体２の頂部に円形の凹所２１が形成されていて、その凹所２１の底面２２に表面光沢を持つ円形の薄いシート３を敷いて底面２２に動かないように重ね合わせ、そのシート３の上に紫外線硬化型接着剤（ＵＶ硬化型接着剤）としての透光性樹脂を流し込むことにより装填して硬化させ、もって透光層４を形成してある。そして、透光層４の表面４１は、凹所２１に流し込んだ未硬化透光性樹脂の表面張力によって、一点又は概ね一点に焦点Ｆ１を有する膨らみ形状の放物面に形成されている。以上の点では図５を参照して説明した樹脂キートップと同様の構成になっている。
【００２０】
この実施形態において、キートップ本体２の凹所２１の底面２２は、上記透光層４の表面４１と平行又は略平行な膨らみ形状の放物面として成形されている。そのため、凹所２１に嵌め込まれてその底面２２に重ね合わされたシート３の上面によって形成されている光沢を持つ光反射面３１が膨らみ形状の放物面に形作られ、その光反射面３１を形成している放物面の焦点Ｆ２が、上記した透光層４の表面４１の焦点Ｆ１と同一位置に位置している。また、上記凹所２１の周壁面２３は、当該凹所２１の底面２２を形作っている放物面の焦点の位置（上記焦点Ｆ１，Ｆ２の位置に一致する）を頂点とする仮想円錐面Ｓに一致する外拡がりテーパ面に形成されている。
【００２１】
このように構成された樹脂キートップでは、光反射面３１が透光層４の表面４１と平行又は略平行な膨らみ形状の放物面になっていて、しかも、双方の面３１，４１が互いに平行又は略平行であるために、透光層４の表面４１から焦点Ｆ１，Ｆ２に向かう方向での透光層４の厚さはどの部分においても一様である。そのため、外光が透光層４を通過してシート３の光反射面３１で反射した後、再び透光層４を通過してその外方に放射された場合に、放射光の方向は焦点Ｆ１，Ｆ２を基点とする放射方向になり、その上、凹所２１の周壁面２３によって規制される透光層４の周壁面４２が上記仮想円錐面Ｓに一致しているので、透光層４の全領域が反射光の光路となる。このことにより、光反射面３１で反射した光が膨らみ形状の透光層４の表面４１から周囲に万弁なく放射されるようになって、見る方向による光沢むらや色むらが発現しにくくなる。なお、色を発現させるには、シート３に色付きシートを用いればよい。
【００２２】
また、凹所２１の周壁面２３が外拡がり形状になっているため、凹所２１の開口部分の直径寸法Ｄ１が凹所２１の底面２２の直径寸法Ｄ２よりも大きく、しかも、周壁面２３の直径寸法は開口部分から底面２２に近付くにつれて漸減する。そのため、光沢むらや色むらを発現しにくくすることに役立つ凹所２１の周壁面２３の外拡がり形状が、シート３を凹所２１に嵌め込んでその底面２２に敷き込むときの嵌め込みやすさを向上させることに役立つようになり、そのことが、当該樹脂キートップの生産性、ひいては量産性を高めることに役立つ。
【００２３】
この実施形態の樹脂キートップにおいて、キートップ本体２は、その背部にスイッチ押圧部２５を備えている。このスイッチ押圧部２５は、当該樹脂キートップを図１のようにデジタルカメラに装着した場合に、そのデシタルカメラのモード切換えスイッチ（不図示）を押圧操作させ得る位置に配備される。
【００２４】
図３に示した他の実施形態による事例は、キートップ本体２の凹所２１の底面２２を平坦に成形しておき、その底面２２に敷き込んだシート３を中央部から周辺部に向かってその厚さが漸減するように成形することによって、そのシート３の光反射面３１を膨らみ形状の放物面に形成している。しかも、シート３の光反射面３１を形成している放物面の焦点Ｆ２’が透光層４の表面４１を形成している放物面の焦点Ｆ１と同一位置に位置している。その他の事項は、図２を参照して説明した事項と同一であるのて、同一又は相応する部分に同一符号を付すことによって説明の重複を回避する。
【００２５】
図４はさらに他の実施形態に係る樹脂キートップ１の断面図である。同図の事例は、凹所２１の開口部分の直径寸法Ｄ３を、図２で説明した凹所２１の開口部分の直径寸法Ｄ１よりも少し拡げた事例である。なお、図４には、図２で説明した凹所２１の開口部分の直径寸法Ｄ１を併せ示している。このものによると、凹所２１の周壁面２３が外拡がり形状に形成されているために、シート３を凹所２１に嵌め込んでその底面２２に敷き込むときの嵌め込みやすさが向上して当該樹脂キートップの生産性、ひいては量産性が向上する。また、透光層４の表面の拡径領域Ｚ１において光沢むらや色むらが出やすくなることが懸念されるものの、全体としては、図２を参照して説明した理由により、光沢むらや色むらがでにくくなるということが云える。
【図面の簡単な説明】
【００２６】
【図１】本発明に係る樹脂キートップをモード切換えスイッチの押釦として採用したデジタルカメラを例示した部分斜視図である。
【図２】実施形態に係る樹脂キートップの断面図である。
【図３】他の実施形態に係る樹脂キートップの断面図である。
【図４】さらに他の実施形態に係る樹脂キートップ１の断面図である。
【図５】従来の樹脂キートップを示す断面図である。
【符号の説明】
【００２７】
１  キートップ
２  キートップ本体
３  シート
４  透光層
２１  凹所
２２  凹所の底面
２３  凹所の周壁面
２５  スイッチ押圧部
３１  光反射面
４１  透光層の表面
Ｆ１，Ｆ２，Ｆ２’  焦点
Ｓ  仮想円錐面
【図１】
2006210023.tif 000003
【図２】
2006210023.tif 000004
【図３】
2006210023.tif 000005
【図４】
2006210023.tif 000006
【図５】
2006210023.tif 000007